(57)【特許請求の範囲】
【請求項１】
有天筒状のハウジングの下端にブラケットが結合され、
ブラケットに設けられる挿着孔にグロメットが挿着され、
給電線がグロメットをハウジングの軸線と直交する方向に貫通して外方に引き出され、
グロメットの外側でハウジングの軸線に沿う方向に屈曲された給電線がハウジングの外面に沿って上向きに延在される船舶推進機用モータの給電線引出し構造において、
グロメットから引き出された前記給電線を前記屈曲部の直前で着脱可能にその引き出し方向に保持するガイド部を、ハウジングの下端側に一体成形して設けるとともに、
ハウジングの外面に沿って延在する前記給電線を着脱可能に保持するクランプ部を、ハウジングの外面に一体成形して設けることを特徴とする船舶推進機用モータの給電線引出し構造。
【請求項２】
前記ハウジングの外面にフック部を有し、
該フック部に溝状をなして前記ハウジングの周方向に開口する前記クランプ部を設ける請求項１に記載の船舶推進機用モータの給電線引出し構造。
【発明の詳細な説明】
【技術分野】
【０００１】
本発明は、船外機等のパワートリムチルト装置に用いて好適な船舶推進機用モータの給電線引出し構造に関する。
【背景技術】
【０００２】
従来、特許文献１に記載の如く、船外機のパワートリムチルト装置を船体に搭載するとき、モータから引き出される給電線が船体の壁や船外機の可動部との干渉を生じないように、モータの周囲への給電線の張り出し量を小さくするように引き出す必要がある。また、モータの引き出し部において海水等の水の浸入を防止する必要もある。
【０００３】
そこで、特許文献１に記載のモータの給電線引出し構造では、有天筒状のハウジングの下端にブラケットが結合され、ブラケットに設けられる挿着孔にグロメットが挿着され、給電線がグロメットをハウジングの軸線と直交する方向に貫通して外方に引き出され、グロメットの外側でハウジングの軸線に沿う方向に屈曲された給電線がハウジングの外面に沿って上向きに延在されている。そして、グロメットから引き出されてハウジングの外面に沿って延在する給電線を保持する保持部材を、ハウジングとブラケットの合面の間に挟持している。
【特許文献１】特開平6-165435
【発明の開示】
【発明が解決しようとする課題】
【０００４】
ハウジングの外面に沿って延在する給電線を保持するため、専用部品としての保持部材をハウジングとブラケットの合面の間に挟持している。このため、給電線を保持する部品点数が増えるし、モータに対する給電線の繰り返し着脱時に保持部材の取り付け／取り外しが必要になってモータの組ばらし性が悪く、保守交換用の保持部材の予備も必要になる。
【０００５】
本発明の課題は、船舶推進機用モータの給電線引出し構造において、ブラケットに挿着したグロメットによる給電線のためのシール機能を確保するとともに、ハウジングの外面に沿って延在する給電線を簡易に保持することにある。
【課題を解決するための手段】
【０００６】
請求項１の発明は、有天筒状のハウジングの下端にブラケットが結合され、ブラケットに設けられる挿着孔にグロメットが挿着され、給電線がグロメットをハウジングの軸線と直交する方向に貫通して外方に引き出され、グロメットの外側でハウジングの軸線に沿う方向に屈曲された給電線がハウジングの外面に沿って上向きに延在される船舶推進機用モータの給電線引出し構造において、グロメットから引き出された前記給電線を前記屈曲部の直前で着脱可能にその引き出し方向に保持するガイド部を、ハウジングの下端側に一体成形して設けるとともに、ハウジングの外面に沿って延在する前記給電線を着脱可能に保持するクランプ部を、ハウジングの外面に一体成形して設けるようにしたものである。
【０００７】
請求項２の発明は、請求項１の発明において更に、前記ハウジングの外面にフック部を有し、該フック部に溝状をなして前記ハウジングの周方向に開口する前記クランプ部を設けるようにしたものである。
【発明の効果】
【０００８】
（請求項１）
(a)給電線がブラケットに挿着したグロメットをハウジングの軸線と直交する方向に貫通して外方に引き出された後、ハウジングの軸線に沿う方向に屈曲されるとき、ハウジングの下端側に一体成形したガイド部がグロメットから引き出された給電線を、その屈曲部の直前でその引き出し方向に保持する。これにより、屈曲した給電線はガイド部に保持されてグロメットを変形させず、給電線のブラケットからの引き出し部のグロメットによるシール機能を確保できる。
(b)ハウジングの外面に沿って上向きに延在する給電線を、ハウジングの外面に一体成形したクランプ部に着脱可能に保持する。クランプ部をハウジングに一体成形したから、部品点数を増やすことがないし、モータに対する給電線の繰り返し着脱時におけるモータの組ばらし性も良く、保守交換用の予備部品も必要としない。
【０００９】
（請求項２）
(c)ハウジングの外面にフック部を有し、該フック部に溝状をなしてハウジングの周方向に開口するクランプ部を設けた。従って、ハウジングの外面に延在する給電線を、フック部の溝状クランプ部にハウジングの周方向から簡易に係入して着脱できる。
【発明を実施するための最良の形態】
【００１０】
図１はモータを示す平面図、図２は図１のII−II線に沿う断面図、図３は図１のIII−III線に沿う断面図、図４はモータの底面図、図５は図２のハウジングのV−V線に沿う矢視図、図６は図２のブラケットのVI−VI線に沿う矢視図、図７はブラケットへの給電線の配線状態を示し、（Ａ）は平面図、（Ｂ）は側面図、図８は給電線の引き出し構造を示す斜視図、図９は給電線の引出し構造を示す側面図である。
【実施例】
【００１１】
図１〜図９は、船外機用パワートリムチルト装置の油圧ポンプを駆動する直流モータ１０を示す。モータ１０は、図１〜図４に示す如く、有天筒状の合成樹脂製ハウジング１１の下端に円盤状の合成樹脂製ブラケット１２を結合して構成される。ハウジング１１の下端外周の複数ヵ所（本実施例では３ヵ所）にはフランジ１１Ａが設けられ、ブラケット１２の外周にはハウジング１１のフランジ１１Ａに対向するフランジ１２Ａが設けられる。モータ１０は、ハウジング１１の下端開口部がＯリング１３を介してブラケット１２の上端外周部に嵌合された状態で、ハウジング１１とブラケット１２の各１個のフランジ１１Ａ、１２Ａが止ねじ１４で結合されてそれらのハウジング１１とブラケット１２を一体化する。モータ１０は、ハウジング１１とブラケット１２の一体化状態で、ブラケット１２を不図示の支持体の上に配置し、各フランジ１１Ａ、１２Ａに設けたボルト挿通孔に挿通されるボルトを支持体に螺着する。
【００１２】
モータ１０は、ハウジング１１の円筒部の内周に磁性金属からなる円弧状のヨーク２１を固定的に設け、ヨーク２１の内周の複数位置（本実施例では４位置）に沿う各円弧状のマグネット２２を互いに間隔をおいてヨーク２１の内周に固定的に配置する。
【００１３】
モータ１０は、ロータ２３を中心軸上に配置する。ロータ２３の回転軸２４の一端部がハウジング１１の天面閉塞部に設けた軸受２５に支持され、回転軸２４の他端部がブラケット１２に設けた軸受２６に支持されるとともに、シール部材２７によって封止される。ロータ２３のブラケット１２寄りにはコンミテータ２８が設けられる。
【００１４】
モータ１０は、ブラケット１２においてコンミテータ２８を囲む周方向の複数位置（本実施例では４位置）にブラシホルダ３１を設け、各ブラシホルダ３１にブラシ３２を保持する。各ブラシ３２は、ブラケット１２との間に縮装されるばね３３の付勢力によりコンミテータ２８の中心を通る半径方向に付勢され、ブラシホルダ３１に摺動ガイドされてコンミテータ２８に摺接する。
【００１５】
モータ１０は、各ブラシ３２にブラシリード線３４を接続している。本実施例において、コンミテータ２８の中心を通り、互いに直交する第１と第２の２つの直径線のうちの、第１の直径線上に位置する２個のブラシ３２から延在する２本のブラシリード線３４は、コネクタ３５の一方の端子３５Ａに接続され、コネクタ３５の他方の端子３５Ｂに接続されている給電線４０（４１）と接続される。第２の直径線上に位置する他の２個のブラシ３２から延在する他の２本のブラシリード線３４は、ブレーカ付コネクタ３６の一方の端子３６Ａに接続され、コネクタ３６の他方の端子３６Ｂ（端子３６Ａと端子３６Ｂの間にブレーカ３７が介装する）に接続されている給電線４０（４２）と接続される。
【００１６】
尚、ブラケット１２は、コネクタ３５に接続される２本のブラシリード線３４のうちの長尺側のブラシリード線３４の中間部と、コネクタ３６に接続される２本のブラシリード線３４のうちの長尺側のブラシリード線３４の中間部を挿し込み保持する固定溝３８を備える。また、ブラケット１２は、給電線４０（４１、４２）の中間部を挿し込み保持する固定溝３９を備える。また、ハウジング１１は、固定溝３８、３９に保持されたブラシリード線３４、給電線４０を上から押さえて抜け止めする押さえ突部１５と、ブラケット１２に挿入してあるブレーカ３７を上から押さえて抜け止めする押さえ突部１６を備える。
【００１７】
以下、モータ１０における給電線４０（４１、４２）の引き出し構造について説明する。給電線４０は、モータ１０の内部への排水等の水の浸入を生ずることなくモータ１０から引き出す必要があるし、引き出された給電線４０は船体の壁や船外機の可動部との干渉を生じないように、モータ１０の周囲への張り出し量を小さくする必要がある。
【００１８】
モータ１０は、ブラケット１２の外面において、ハウジング１１の中心軸線と直交する方向に凹設される挿着孔５１にグロメット５０を軽圧入して挿着する。本実施例では、図３、図７に示す如く、ブラケット１２の外面に対して凹状をなす長孔状の挿着孔５１を設け、この挿着孔５１の孔底面に給電線４０をモータ１０の内外に通す挿通孔５２を穿設する。本実施例では２本の給電線４１、４２に対応する２個の挿通孔５２、５２が穿設される。本実施例において、グロメット５０は、シール剤を介さずに挿着孔５１に挿着される（シール剤を介しても可）。
【００１９】
給電線４０（４１、４２）は、図３、図７に示す如く、グロメット５０のハウジング１１の中心軸線と直交する方向に設けてある封止孔５０Ａ、本実施例では２本の給電線４１、４２に対応する２個の封止孔５０Ａ、５０Ａを貫通して、モータ１０の内部から外方に引き出される。モータ１０から引き出された給電線４０（４１、４２）は、グロメット５０の封止孔５０Ａから出た外側の屈曲部４０Ａでハウジング１１の中心軸線に沿う方向（ハウジング１１の天面側に向かう方向）に屈曲され、ハウジング１１の外面に沿って天面側に向かう上向きに延在される。
【００２０】
このとき、モータ１０は、図３、図４、図８、図９に示す如く、ブラケット１２の挿着孔５１に挿着してあるグロメット５０から引き出された給電線４０（４１、４２）を、ハウジング１１の中心軸線に沿う方向に屈曲する屈曲部４０Ａの直前で、着脱可能にその引き出し方向に保持するガイド部６１を、ハウジング１１の下端側に一体成形して設けてある。
【００２１】
具体的には、ハウジング１１の円筒部の外面の周方向の一部であって、軸方向に沿う中間部〜下端部に、ブラケット１２の挿着孔５１に挿着してあるグロメット５０の側にまで張り出る矩形板状の下向き張り出し部６０を有し、張り出し部６０に溝状をなして下向きに開口する下向き開口部６１Ａを備えたガイド部６１、本実施例では２本の給電線４１、４２に対応する２条のガイド部６１、６１を設ける。ハウジング１１をブラケット１２に嵌合したとき、各ガイド部６１はグロメット５０の各封止孔５０Ａに対応し、各ガイド部６１の溝上端を各封止孔５０Ａの上側円弧に合致する円弧状にする。これにより、グロメット５０から引き出された給電線４０（４１、４２）は、張り出し部６０の板厚分だけその引き出し方向にストレート状に保持され、屈曲部４０Ａで生ずる撓みの復元習性力を受けても変形しない。
【００２２】
張り出し部６０はグロメット５０の外側端面を塞ぐように覆い、グロメット５０を挿着孔５１から抜け止めする。本実施例では、グロメット５０の挿着孔５１を凹設してあるブラケット１２の挿着孔５１まわりの外面を平面状に加工してある（図７）。そして、ブラケット１２の上端外周部に嵌合されるハウジング１１の環状下端部の周方向の一部から下方に突き出る板状の張り出し部６０を、ブラケット１２の挿着孔５１まわりの外面に臨む範囲まで垂下し、このブラケット１２の挿着孔５１まわりの外面に臨む張り出し部６０の内面を該挿着孔５１まわりの外面に接する平面状に加工してある（図３、図８）。これにより、張り出し部６０はブラケット１２の挿着孔５１に挿着されたグロメット５０の外側端面の概ね全面を塞ぐように覆い、グロメット５０を挿着孔５１から抜け止めする。
【００２３】
本実施例によれば、ハウジング１１に張り出し部６０とそのガイド部６１を設けたことにより、以下の作用効果を奏する。
【００２４】
(a)給電線４０（４１、４２）がブラケット１２に挿着したグロメット５０をハウジング１１の軸線と直交する方向に貫通して外方に引き出された後、ハウジング１１の軸線に沿う方向に屈曲されるとき、ハウジング１１の下端側に一体成形したガイド部６１がグロメット５０から引き出された給電線４０（４１、４２）を、その屈曲部４０Ａの直前でその引き出し方向に保持する。これにより、屈曲した給電線４０（４１、４２）はガイド部６１に保持されてグロメット５０を変形させず、給電線４０（４１、４２）のブラケット１２からの引き出し部のグロメット５０によるシール機能を確保できる。
【００２５】
(b)ハウジング１１の下端部にグロメット５０の側にまで張り出る下向き張り出し部６０を有し、該張り出し部６０に溝状をなして下向きに開口するガイド部６１を設けた。従って、ハウジング１１の下端にブラケット１２を着脱するとき、ハウジング１１の下向き張り出し部６０に設けた溝状ガイド部６１が、グロメット５０から引き出された給電線４０（４１、４２）に上方から着脱できる。
【００２６】
(c)上述(b)の張り出し部６０がグロメット５０の外側端面を覆い、該グロメット５０を挿着孔５１から抜け止めする。従って、ハウジング１１の下端にブラケット１２を着脱するとき、ハウジング１１の張り出し部６０によりグロメット５０の外側端面を覆い、グロメット５０を直ちに抜け止めして簡易に固定できる。
【００２７】
更に、モータ１０は、図１、図３、図８、図９に示す如く、ブラケット１２の挿着孔５１に挿着してあるグロメット５０から引き出され、ハウジング１１の中心軸線に沿う方向に屈曲部４０Ａで屈曲されてから、ハウジング１１の外面に沿って上向きに延在する給電線４０（４１、４２）を着脱可能にその上向き延在方向に保持するクランプ部７１を、ハウジング１１の外面に一体成形して設ける。
【００２８】
具体的には、ハウジング１１の円筒部の外面の軸方向に沿う中間部（本実施例では前述の張り出し部６０の上端部）に突き出るフック部７０を有し、フック部７０に溝状をなしてハウジング１１の外面の周方向に開口する横向き開口部７１Ａを備えたクランプ部７１を設ける。給電線４０（４１、４２）はフック部７０の横向き開口部７１Ａからクランプ部７１に挿し込まれ、本実施例では２本の給電線４１、４２がフック部７０とハウジング１１の外面（本実施例では張り出し部６０の上端部の表面）との間に並んで保持される。
【００２９】
本実施例によればハウジング１１にフック部７０とそのクランプ部７１を設けたことにより、以下の作用効果を奏する。
【００３０】
(a)ハウジング１１の外面に沿って上向きに延在する給電線４０（４１、４２）を、ハウジング１１の外面に一体成形したクランプ部７１に着脱可能に保持する。クランプ部７１をハウジング１１に一体成形したから、部品点数を増やすことがないし、モータ１０に対する給電線４０（４１、４２）の繰り返し着脱時におけるモータ１０の組ばらし性も良く、保守交換用の予備部品も必要としない。
【００３１】
(b)ハウジング１１の外面にフック部７０を有し、該フック部７０に溝状をなしてハウジング１１の周方向に開口するクランプ部７１を設けた。従って、ハウジング１１の外面に延在する給電線４０（４１、４２）を、フック部７０の溝状クランプ部７１にハウジング１１の周方向から簡易に係入して着脱できる。
【００３２】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３３】
【図１】図１はモータを示す平面図である。
【図２】図２は図１のII−II線に沿う断面図である。
【図３】図３は図１のIII−III線に沿う断面図である。
【図４】図４はモータの底面図である。
【図５】図５は図２のハウジングのV−V線に沿う矢視図である。
【図６】図６は図２のブラケットのVI−VI線に沿う矢視図である。
【図７】図７はブラケットへの給電線の配線状態を示し、（Ａ）は平面図、（Ｂ）は側面図である。
【図８】図８は給電線の引き出し構造を示す斜視図である。
【図９】図９は給電線の引き出し構造を示す側面図である。
【符号の説明】
【００３４】
１０  モータ
１１  ハウジング
１２  ブラケット
４０、４１、４２  給電線
４０Ａ  屈曲部
５０  グロメット
５１  挿着孔
６１  ガイド部
７０  フック部
７１  クランプ部
【図１】
0005178147.tif 000002
【図２】
0005178147.tif 000003
【図３】
0005178147.tif 000004
【図４】
0005178147.tif 000005
【図５】
0005178147.tif 000006
【図６】
0005178147.tif 000007
【図７】
0005178147.tif 000008
【図８】
0005178147.tif 000009
【図９】
0005178147.tif 000010